(57)【特許請求の範囲】
【請求項１】
テレビジョン又はサウンドラジオのプログラムチャンネルのプログラム信号から分離されたデータ信号を再生する方法であって、
識別情報に属するデータが集められデータプログラムを形成し、かくして集められた上記データは中間的に記憶され、
上記データ信号には受信器端で評価されるリストが格納され、
少なくとも一つのリストは、上記識別情報に割り当てられた以下の識別子：
ａ）上記データプログラムを受信、復号、及び、再生するため必要とされる受信器のコンフィギュレーションを示すコンフィギュレーション識別子、及び／又は、
ｂ）上記データプログラムを復号及び再生するため必要とされるデータファイルを示すファイル識別子を含み、
上記識別情報が、上記識別子と同一のリスト、またはそれ以外のリストに格納された平文の識別子に割り当てられ、
ユーザによって選択されるリスト内の平文の識別子の選択の際に、
ｃ）上記受信器のコンフィギュレーションが上記識別情報によって識別されたデータプログラムを受信、復号、及び再生するのに十分であるかどうか判断するため、上記平文の識別子に割り当てられた上記コンフィギュレーション識別子を評価し、及び／又は
ｄ）上記ファイル識別子によって識別されたデータファイルが受信器端にあるかどうか判断するため、上記平文の識別子に割り当てられた上記ファイル識別子を評価し、
段階ｃ）及び／又は段階ｄ）における肯定的な結果に基づいて、上記選択された平文に関連した識別情報が中間的に記憶され、上記中間的に記憶された識別情報の受信時に、上記データプログラムの関連するデータの記憶が行われ、
段階ｃ）及び／又は段階ｄ）における否定的な結果に基づいて、適当なメッセージがユーザに出力されることにより処理が初期化されることを特徴とする方法。
【請求項２】
請求項１記載の方法であって、
上記受信器端で必要とされる少なくとも一つの他のシステムコンフィギュレーションのため割り当てられた別のコンフィギュレーション識別子を含む別の識別情報がリストに格納され、
段階ｃ）において否定的な結果が得られた場合に、上記ユーザによって選択された識別情報ではなく、上記別のコンフィギュレーション識別子を代用として選択し、上記受信器端のシステムコンフィギュレーションのため割り当てられたコンフィギュレーション識別子が上記所望のデータプログラムを受信、復号、及び再生するために十分である上記別の識別情報を中間的に記憶することを特徴とする方法。
【請求項３】
請求項１記載の方法であって、
段階ｄ）において否定的な結果が得られた場合に、関連するデータファイルが受信器端で見つからない識別情報が検出され、上記見つからないデータファイルに割り当てられた識別情報が中間的に記憶され、
上記中間的に記憶された識別情報の受信時に、上記関連するデータファイルの記憶が行われることを特徴とする方法。
【請求項４】
請求項１記載の方法であって、
少なくとも一つのリストは、送信されたデータサービスに関する以下のパラメータ：
１）上記データサービスのバイト同期のためのフレーム語の形式；
２）１ページずつ又は１パケットずつのデータ伝送の別；
１ページずつの伝送に対し：
３ａ）夫々のページ番号；
３ｂ）２０ｍｓのルールが満たされているか、満たされていないか、或いは、一部分だけ満たされているかの別；
３ｃ）使用された伝送プロトコル；
４）チャンネル名
の中の少なくとも一つからなることを特徴とする方法。
【請求項５】
請求項４記載の方法について、
上記パラメータは第１のデータ案内テーブルで伝送されることを特徴とする方法。
【請求項６】
請求項５記載の方法であって、
第２のデータ案内テーブルで、種々のチャンネル名を含むチャンネルリストが更に伝送されることを特徴とする方法。
【請求項７】
請求項１乃至３いずれか１項記載の方法により再生されるデータ信号を伝送する方法であって、
少なくとも一つの識別情報と、上記識別情報によって識別された上記データプログラムが伝送されるページ又はブロック番号とを格納する別個のリストが繰り返し伝送されることを特徴とする方法。
【請求項８】
請求項７記載の方法であって、
上記別個のリストは上記関連するデータプログラムの現在の伝送状態に関する情報をさらに含むことを特徴とする方法。
【請求項９】
請求項７記載の方法であって、
上記別個のリストは、上記繰り返しの全数と、上記関連するデータプログラムの現在の繰り返しのシリアル番号とに関する更なる情報を含むことを特徴とする方法。
【発明の詳細な説明】
【０００１】
【発明の属する技術分野】
本発明は、データプログラムを形成するため識別情報に属するデータが集められ、かくして集められた上記データは直ちに記憶され、データ信号には受信器端で評価されるリストが格納される、テレビジョン又はサウンドラジオのプログラムチャンネルのプログラム信号から分離されたデータ信号を再生する方法に関する。
【０００２】
【従来の技術】
上記方法はドイツ国特許第３９  １４  ６９７  Ｃ２号明細書に記載されている。
現在欧州で使用されている通常のテレテキスト装置において、所謂、ＷＳＴ（ワールドシステムテレテキスト）テレテキスト規格の“レベル１”が利用される。かかる“レベル１”により、文章及びグラフィック表現が、制限された基本文字セットを用いてヘッダ行と２３行からなるページでスクリーン上に表示される。
【０００３】
ドイツ国特許第３９  １４  ６９７  Ｃ２号明細書に記載されているように、レベル１は、上記ページの他に、特殊文字、微細な構造、及び、カラーシェーディングのための更なる補足データを伝送するため使用することができる。要求されたレベル１のページに加えて、関係のある補足データが受信器端で即座に記憶され、当該レベル１のページと共にスクリーン上に表示される。
【０００４】
その上、ビデオレコーダをプログラミングする目的のため、可視的に表わされた情報に加えて増強された誤り保護を備えた見えないプログラム識別子がテレテキストのページ内で伝送される方式は、欧州特許第０  ２１４  ３２６号明細書より周知である。視聴者は、プログラムのリストページ上で所望のプログラムをマークし、記録用の関係したプログラム識別子を選択する。夫々のプログラムソース及びカレンダーの日付のための別のコード番号を付加的に含むプログラム識別子は、プログラムを個別に識別し、プログラムと共に伝送される。ビデオレコーダは、プログラムされたプログラム識別子が丁度検出された識別子と一致するとき、記録を開始する。かかる事象制御された記録の場合、ビデオレコーダは適当に反応し得るので、時間的なシフト及び妨害等は記録に影響を与えることなく残る。プログラムを取り消す場合、ビデオ記録の不必要な長い“潜行(lurking) ”は、プログラム識別子の代わりに特殊な取消識別子を伝送することにより回避される。
【０００５】
更に、欧州特許第０  ２６４  ５６５  Ｂ１号明細書により、特定のページを使用して、現在伝送されているテレテキストのページに情報を伝送し、受信器端でその特定のページを評価する方式が周知である。受信器端で特定のページを評価することにより、ユーザによって所望されたテレテキストページが完全に伝送されたかどうかをチェックし、不必要な待ち時間を伴うことなくテレテキストのページを選択し、最適な形式で利用可能なデコーダーのメモリを使用することが可能である。
【０００６】
【発明が解決しようとする課題】
一方、本発明の目的は、テレテキストサービスから更に発生され、テレビジョン又はサウンドラジオの信号と共に、或いは、専用チャンネルで独立に伝送される将来のデータサービスに対し、所望のデータプログラムを記録するために、データデコーダーの誤りのない簡単なプログラミングと、現在実行中の対応するデータプログラムの通知とを行うことができるよう上記の形の方法を改良することである。この場合、データプログラムは、例えば、文章、画像、場合によっては画像シーケンス及びサウンドを伴う電子新聞、電子プログラム案内、気象サービス、又は、他の任意のデータファイルのための少なくとも一つのデータファイルの伝送であると考えられる。特に、ユーザから呼び出されたとき、例えば、サブプログラムがない、又は、コンピューティング能力が低いためユーザのシステムコンフィギュレーション
（構成）が適切ではないという理由によって、既に受信されたデータプログラムが実行不能になることを避ける必要がある。
【０００７】
【課題を解決するための手段】
本発明によれば、送信器端で発生されたプログラミングと記録のためのデータ案内テーブルと、現在実行中のデータプログラムを通知するためのデータ状態テーブルとが評価されたとき、所望のデータプログラムを記録する目的のためデータデコーダーの誤りのない簡単なプログラミングが行われる。データ案内テーブルは、日付、時間、放送局、識別番号及びファイル長の他に、所望のデータプログラムを受信、復号化、及び出力するため必要なハードウェア及びソフトウェア上のコンフィギュレーションに関する情報と、受信器端で見つからない可能性があるソフトウェアを自動的に再ローディングする情報とを含む。このような形で、データプログラムのプログラミング中のできるだけ早い時期に、受信器端で必要とされるシステムコンフィギュレーションのチェックを実行し、ユーザ自身のシステムが所望のデータプログラムの受信、復号化、又は、出力に適当ではない場合、エラーメッセージ又は警告をユーザに出力することが可能である。その上、可能性のある誤りを指摘することができ、必要があれば、受信器端でシステムコンフィギュレーションに一致した同様のデータプログラムを、適当であれば自動的にロードし、或いは、見つからないデータプログラムを再ロードすることが可能である。
【０００８】
伝送された全てのデータサービスに関する付加的な情報を含むデータサービスパラメータをデータ状態テーブル及び／又はデータ案内テーブル内で伝送することには利点がある。これにより、たとえ、種々のデータサービスが別々のデータ伝送パラメータを使用しても、誤りのない復号化が行われる。更に、データサービスパラメータを用いて、デコーダーが夫々のデータの処理に適当であるかどうかをチェックし得る利点がある。
【０００９】
データサービスパラメータには以下の情報：
１）データサービスのバイト−同期用のフレーム語の形式（フレーミングコード）；
２）データ伝送が１ページずつ又は１パケットずつの何れで行われたかを表わす情報；
１ページずつの伝送に対する：
３ａ）夫々のベージ番号；
３ｂ）２０ｍｓのルールが満たされているか、満たされていないか、或いは、一部分だけ満たされているか、即ち、ヘッダと、次のデータラインとの間の最小の２０ｍｓの間隔の間に、従来のデコーダーによる復号化が可能であるかどうかを表わす情報；
３ｃ）いずれのプロトコルに従って伝送が行われたかを表わす情報；
４）チャンネルネットワーク識別（ＣＮＩ）コード、即ち、データサービスが伝送されたチャンネルに付けられた名前
が含まれる。
【００１０】
データサービスパラメータは、第１のデータ案内テーブル（ＤＧＴ−２）で伝送される利点がある。更に、潜在的なユーザに対する全体像を表示によって形成するため、種々のチャンネル名を含むチャンネルリストを第２のデータ案内テーブル（ＤＧＴ−１）で伝送することが可能である。
【００１１】
【発明の実施の形態】
以下、添付図面を参照して、本発明をより詳細に説明する。
図１には、アナログ又はディジタルテレビジョン信号１１及び／又はデータ信号１２を受信し、復号化し得る本発明のテレビジョン受像機１０が示されている。ディジタルテレビジョン信号の場合、データ信号のデータは適当な方法でディジタルテレビジョン信号のデータストリームに含めることが可能である。アナログテレビジョン信号の場合、データ信号のデータはテレビジョン信号の垂直ブランキング間隔に含めることが可能である。テレビジョン信号１１及びデータ信号１２は、一方で、テレビジョン信号１１を復号化し、スクリーン５０上に表示する画像プロセッサ２０に供給され、他方で、テレビジョン信号に含まれているサウンド信号（テレビジョンサウンド信号及び／又はサウンドラジオ信号）を復号化し、サウンド信号をスピーカーに出力するするオーディオプロセッサ４０に供給される。更に、テレビジョン信号１１及びデータ信号１２は、データデコーダー３０に供給される。遠隔制御８０を介して、画像プロセッサ２０及びオーディオプロセッサ４０と同様に制御されるデータデコーダー３０は、アナログシステムではページ単位で、ディジタルシステムの場合ブロック単位で配置されたデータ信号１２のデータを、テレビジョン信号１１から分離し、好ましくは、遠隔制御８０を介してユーザによって要求されたデータをメモリ６０に格納する。要求された全てのデータが得られると直ぐに、データはメモリ６０から取り出され、画像プロセッサ２０及びオーディオプロセッサ４０を介してスクリーン５０及びスピーカー７０で再生される。
【００１２】
図２には、例えば、ブロック又はページで伝送され、送信器端に従って受信器端でファイルに再び集められたデータ案内テーブルＤＧＴ、データ状態テーブルＤＳＴ、及び、二つのデータプログラムを伴うデータ信号１２の内容が示されている。
データ案内テーブルＤＧＴは、関連する放送局によって提供されたデータプログラムをユーザに通知する。図２に示されているように、例えば、時刻５：００乃至７：００の間に電送新聞は、ユーザには見えない識別情報Ｉ＝“０８１５”と共に伝送され、時刻６：００乃至７：００の間に気象サービスが識別情報Ｉ＝“０８２０”と共に伝送される。ユーザは所望のデータプログラムを選択し、記録をプログラムし、データデコーダーは、所望の記録に関連したデータ案内テーブルからの付随した情報を記憶する。
【００１３】
データ状態テーブルＤＳＴは、別個のデータプログラム間に短い時間間隔で伝送され、現在伝送中、又は、伝送されるべきデータプログラムに関する情報を含む。かくして、データ状態テーブルＤＳＴは、時点ｔ＝ｍで、識別情報Ｉ＝“０８１５”を有するデータプログラムがブロック又はページ番号１ＡＡ−ｘの下で即座に伝送される。時点ｔ＝ｍ＋１で、第１のブロック又は第１のページ１ＡＡ−１の伝送が行われ、時点ｔ＝ｍ＋２で、１ＡＡ−２の伝送が行われ、以下同様である。次いで、時点ｔ＝ｍ＋５で、データデコーダーは、データプログラムＩ＝“０８１５”の現在実行中の伝送、及び、ブロック又はページ１ＡＣ−ｘの直ぐ後に続くデータプログラムＩ＝“０８２０”の伝送に関する情報を伴うデータ状態テーブルＤＳＴを検出することができる。通知に従って、最後のＤＳＴ、即ち、両方のデータプログラムに対するブロック又はページ１ＡＣ−ｘ及び１ＡＡ−ｘは、次の時点ｔ＝ｍ＋６、ｔ＝ｍ＋７、等々で交互に伝送される。
【００１４】
所望のデータプログラムを記録又は記憶するため、指定された周期で、データデコーダー３０は、到来するデータ状態テーブルＤＳＴを、メモリ６０の内部にある中間メモリにロードし、そのデータ状態テーブルＤＳＴがプログラムされた識別情報であるかどうかを調べる。肯定的な探索結果が得られた場合、関連したブロック番号又はページ番号が検出され、プログラムされた識別情報に属する全てのブロック又はページがメモリ６０に順に格納される。
【００１５】
本発明を説明するため、図３には、視聴者に可視的なデータ案内テーブルＤＧＴ−１と、付随した不可視的なデータ案内テーブルＤＧＴ−２とが示されている。ＤＧＴ−１内の平文の識別子“電送新聞−朝版”には、伝送の時刻（時刻＝“５．００−７．００”）と、伝送されたデータセット（Ｌ＝“５，４ＭＢ”）と、繰り返しの回数（Ｒｅｐ＝“０”）と、識別情報（Ｉ＝“０９１５”，ｄａｔｅ＝．．．等を伴うＰｒ＝“Ｔｅｌｅ．ｅｘｅ”）及び対応した識別情報（Ｉ＝“０９１６”，ｄａｔｅ＝．．．等を伴うＦｉ＝“Ｔｅｌｅｆｒａ．００”）を有する更なる識別子に関するデータを含むＤＧＴ−２内の識別情報Ｉ＝“０８１５”が割り当てられる。同様に、ＤＧＴ−２には、地域（Ｃｏｕｎｔｒｙ＝“Ｄ”）、放送局（Ｂｒｏａｄｃ．＝“ＢＲ”）、伝送の日付（ｄａｔｅ＝“１．１．９５”）、及び、要求された受像機のシステムコンフィギュレーション（Ｃｏｍｐ＝“４８６＋”及びＲＡＭ＝“４ＭＢ”）に関する一般的なデータが含まれている。
【００１６】
遠隔制御８０を介して、ユーザは、ＤＧＴ−１から所望のデータプログラム、例えば、“電送新聞−朝版”を選択する。その結果、データデコーダー３０は、受信器端にあるシステムコンフィギュレーションと、選択されたデータプログラムが十分であるかどうかをチェックする。Ｉ＝“０８１５”を伴う“電送新聞−朝版”は、４ＭバイトのＲＡＭを備えた４８６形プロセッサだけに適しているので、テレビジョン受像機１０の受信システムが、例えば、３８６形プロセッサ及び１ＭＢのＲＡＭを備えている場合、かかるデータプログラムを受信することは不可能である。その代わり、上記テレビジョン受像機１０によって、Ｉ＝“０８１５−１”を伴うデータプログラムを受信、復号化、及び、出力することが可能である（図３：Ｃｏｍｐ＝“３８６＋”及びＲＡＭ＝“１ＭＢ”を参照のこと）。
【００１７】
更に、データデコーダー３０は、選択されたデータプログラムを復号化及び出力するため必要な全てのデータ（選択された“電送新聞−朝版”に対し、例えば、プログラム“Ｔｅｌｅ．ｅｘｅ”及びデータファイル“Ｔｅｌｅｆｒａ．００”（図３を参照のこと））がテレビジョン受像機１０内にあるかどうかをチェックする。上記ファイルの中の一つが見つからないとき、そのファイルはテレビジョン受像機１０によって自動的に再ロードされる。このために必要な情報（Ｉ＝“０９１５”を伴うＰｒ＝“Ｔｅｌｅ．ｅｘｅ”，．．．，Ｉ＝“０９１６”を伴うＦｉ＝“Ｔｅｌｅｆｒａ．００”）は、同様にＤＧＴ−２内に存在する。
【００１８】
図４には、図１の時点ｔ＝ｍ＋５で現在実行中のデータ伝送を通知するため重要な情報を含むデータ状態テーブルＤＳＴの概要図が示されている。図３のＤＧＴ−２によれば、データ状態テーブルＤＳＴは、地域（Ｃｏｕｎｔｒｙ＝“Ｄ”）、伝送中の放送局（Ｂｒｏａｄｃ．＝“ＢＲ”）、及び、伝送の日付（ｄａｔｅ＝“１．１．９５”）に関するデータを含む。図１に関し説明したように、Ｉ＝“０８１５”を伴うデータプログラム“電送新聞−朝版”は、状態が“ｒｕｎｎｉｎｇ（実行中）”であり、ブロック又はページ番号１ＡＡ−ｘ内で現在伝送されている。更に、情報Ｒｅｐ＝“０／０”又はＲｅｐ＝“０／１”は、Ｉ＝“０８２０”の場合に、関連するデータが始めて伝送され、かつ、０回又は１回のデータ伝送の繰り返しが後に続くことを指定する。かかる情報は、例えば、ブロックが誤って受信された場合、データデコーダー３０に重要な意味がある。かくして、更に引き続く繰り返しが通知されたとき、例えば、上記ブロックを、データデコーダー３０の次のエントリーからの正確なブロックで置き換えることが可能である。
【００１９】
別のデータプログラムに対する更新情報として伝送されたデータプログラムを含むデータ案内テーブルＤＧＴを概略的に表わす図５を参照して、本発明の基本的な考え方をもう一度説明する。ユーザは“電送新聞−正午版”を選択し；データデコーダー３０は、ＤＧＴ−２内の情報から、識別情報Ｉ＝“０８１６”を有する選択されたデータプログラム“電送新聞−正午版”が、識別情報Ｉ＝“０８１５”を有する“電送新聞−朝版”の更新情報として、時刻１１：００乃至１２：００の間に伝送されたことを認識し、両方のデータプログラムをメモリ６０に自動的に格納する。これにより、不完全又は誤りのあるプログラミングは除外されることが保証される。
【図面の簡単な説明】
【図１】データデコーダーと、関連したデータメモリ及び画像及びサウンドの復号化用装置を備えたアナログ又はディジタルテレビジョン受像機の概要図である。
【図２】データ案内テーブルＤＧＴと、データ状態テーブルＤＳＴとを用いたデータ伝送の概略的な説明図である。
【図３】所望のデータを記録するためのデータデコーダーのプログラミングに関連した情報を含むデータ案内テーブルＤＧＴの概略的な説明図である。
【図４】現在実行中のデータ伝送を通知するため重要な情報を含むデータ情報テーブルＤＳＴの概略的な説明図である。
【図５】他のデータの更新情報としてのみ伝送されたデータのプログラミングに重要な関連情報を含むデータ案内テーブルＤＧＴの概略的な説明図である。
【符号の説明】
１０    テレビジョン受像機
１１    テレビジョン信号
１２    データ信号
２０    画像プロセッサ
３０    データデコーダー
４０    オーディオプロセッサ
５０    スクリーン
６０    メモリ
７０    スピーカー
８０    遠隔制御
【図１】
0003746834.tif 000002
【図２】
0003746834.tif 000003
【図３】
0003746834.tif 000004
【図４】
0003746834.tif 000005
【図５】
0003746834.tif 000006